(57)【要約】【課題】前面筐体の美観を高めることができる表示装置を提供する。【解決手段】表示面３６を有する液晶パネル１０と、液晶パネル１０の背面１０ａを覆うリアキャビネット８と、表示面３６の外周部を覆う前面部４０と、前面部４０の外周部からリアキャビネット８側に延び、且つ、液晶パネル１０の外周面１０ｃを覆う周面部４２と、を有するフロントキャビネット６と、リアキャビネット８及びフロントキャビネット６を相互に締結するネジ３８と、を備え、リアキャビネット８は、リアキャビネット８側からフロントキャビネット６側に向けてネジ３８が挿入される貫通孔５４を有し、フロントキャビネット６は、さらに、周面部４２の内面４２ａに設けられ、且つ、貫通孔５４に挿入されたネジ３８が締結されるボス４６と、周面部４２の内面４２ａに設けられ、且つ、ボス４６から前面部４０の内面４０ａに向けて延びるリブ５０と、を有する。【選択図】図６
2015203707.tif 000002
【特許請求の範囲】
【請求項１】
画像を表示するための表示装置であって、
前面に前記画像を表示する表示面を有する表示パネルと、
前記表示パネルの背面を覆う背面筐体と、
前記表示面の外周部を覆う前面部と、前記前面部の外周部から前記背面筐体側に延び、且つ、前記表示パネルの外周面を覆う周面部と、を有する前面筐体と、
前記背面筐体及び前記前面筐体を相互に締結する締結部材と、を備え、
前記背面筐体は、前記背面筐体側から前記前面筐体側に向けて前記締結部材が挿入される貫通孔を有し、
前記前面筐体は、さらに、
前記周面部の内面に設けられ、且つ、前記貫通孔に挿入された前記締結部材が締結されるボスと、
前記周面部の前記内面に設けられ、且つ、前記ボスから前記前面部の内面に向けて延びるリブと、を有する
表示装置。
【請求項２】
前記リブは、前記締結部材が締結される方向と略平行に延びている
請求項１に記載の表示装置。
【請求項３】
前記リブは、前記ボスから前記前面部の前記内面まで延びている
請求項１又は２に記載の表示装置。
【請求項４】
前記前面筐体は、さらに、前記前面部の前記内面と前記周面部の前記内面との間に形成された面取り面を有しており、
前記リブは、前記ボスから前記面取り面を経由して前記前面部の前記内面まで延びている
請求項３に記載の表示装置。
【請求項５】
前記背面筐体は、さらに、前記背面筐体の内面から前記前面筐体に向けて突出し、且つ、前記背面筐体の外周部に沿って延びる突出部を有しており、
前記前面筐体は、さらに、前記ボスと前記周面部の前記内面との間に設けられ、且つ、前記突出部が挿入されるスリットを有する
請求項１〜４のいずれか１項に記載の表示装置。
【発明の詳細な説明】
【技術分野】
【０００１】
本発明は、画像を表示するための表示装置に関する。
【背景技術】
【０００２】
画像を表示するための表示装置として、例えば液晶テレビジョン受像機が知られている（例えば、特許文献１参照）。液晶テレビジョン受像機の筐体の内部には、表面に表示面を有する液晶パネル等が配置されている。上述した筐体は、リアキャビネット（背面筐体を構成する）及びフロントキャビネット（前面筐体を構成する）を有しており、これらは樹脂で形成されている。リアキャビネットは、液晶パネルの背面全体を覆うように配置されている。フロントキャビネットは、前面部及び周面部を有している。前面部は、液晶パネルの表示面の外周部を覆うように配置されている。周面部は、前面部の外周部からリアキャビネット側に延び、且つ、液晶パネルの外周面を覆うように配置されている。
【０００３】
リアキャビネットには、ネジを挿入するための貫通孔が設けられている。フロントキャビネットの前面部の内面には、ネジ孔を有するボスが設けられている。ネジは、リアキャビネット側からフロントキャビネット側に向けて貫通孔に挿入された後に、ボスのネジ孔にネジ止めされる。これにより、フロントキャビネットとリアキャビネットとが相互に締結される。
【先行技術文献】
【特許文献】
【０００４】
【特許文献１】特開２０１３−１５６５２５号公報
【発明の概要】
【発明が解決しようとする課題】
【０００５】
上述した従来の液晶テレビジョン受像機では、フロントキャビネットの前面部の内面にボスが設けられていることに起因して、次のような課題が生じる。上述したようにネジをボスのネジ孔にネジ止めした際に、ボスがリアキャビネット側に引き込まれることにより、前面部の外面（すなわち、液晶テレビジョン受像機の外部に露出される面）のうちボスに対応する部分に僅かな窪みが生じてしまう。前面部の外面は最もユーザの目に付く部分であるので、上述した窪みが生じることによって、フロントキャビネットの美観が損なわれてしまうという課題が生じる。特に、デザイン性を高めるためにフロントキャビネットの外面に光沢塗装を施した場合には、上述した窪みがより一層目立つようになり、フロントキャビネットの美観が大きく損なわれてしまう。
【０００６】
本発明は、上述した課題を解決しようとするものであり、その目的は、前面筐体の美観を高めることができる表示装置を提供することである。
【課題を解決するための手段】
【０００７】
上記目的を達成するために、本発明の一態様に係る表示装置は、画像を表示するための表示装置であって、前面に前記画像を表示する表示面を有する表示パネルと、前記表示パネルの背面を覆う背面筐体と、前記表示面の外周部を覆う前面部と、前記前面部の外周部から前記背面筐体側に延び、且つ、前記表示パネルの外周面を覆う周面部と、を有する前面筐体と、前記背面筐体及び前記前面筐体を相互に締結する締結部材と、を備え、前記背面筐体は、前記背面筐体側から前記前面筐体側に向けて前記締結部材が挿入される貫通孔を有し、前記前面筐体は、さらに、前記周面部の内面に設けられ、且つ、前記貫通孔に挿入された前記締結部材が締結されるボスと、前記周面部の前記内面に設けられ、且つ、前記ボスから前記前面部の内面に向けて延びるリブと、を有する。
【０００８】
本態様によれば、ボスが周面部の内面に設けられているので、締結部材をボスに締結した際に、ボスを背面筐体側に引き込む力が前面部に作用することがない。その結果、前面部の外面のうちボスに対応する部分に僅かな窪みが生じるのを抑制することができ、前面筐体の美観を高めることができる。さらに、周面部の内面には、ボスから前面部の内面に向けて延びるリブが設けられているので、締結部材が締結される方向におけるボスの強度を高めることができる。これにより、締結部材をボスに締結した際に、ボスが背面筐体側に引き込まれた場合であっても、ボスと周面部の内面との接続強度を強固に保つことができる。
【０００９】
例えば、本発明の一態様に係る表示装置において、前記リブは、前記締結部材が締結される方向と略平行に延びているように構成してもよい。
【００１０】
本態様によれば、リブは、締結部材が締結される方向と略平行に延びているので、締結部材が締結される方向におけるボスの強度を効果的に高めることができる。
【００１１】
例えば、本発明の一態様に係る表示装置において、前記リブは、前記ボスから前記前面部の前記内面まで延びているように構成してもよい。
【００１２】
本態様によれば、リブは、ボスから前面部の内面まで延びているので、締結部材が締結される方向におけるボスの強度を効果的に高めることができる。
【００１３】
例えば、本発明の一態様に係る表示装置において、前記前面筐体は、さらに、前記前面部の前記内面と前記周面部の前記内面との間に形成された面取り面を有しており、前記リブは、前記ボスから前記面取り面を経由して前記前面部の前記内面まで延びているように構成してもよい。
【００１４】
本態様によれば、リブは、ボスから面取り面を経由して前面部の内面まで延びているので、締結部材が締結される方向におけるボスの強度をより一層効果的に高めることができる。
【００１５】
例えば、本発明の一態様に係る表示装置において、前記背面筐体は、さらに、前記背面筐体の内面から前記前面筐体に向けて突出し、且つ、前記背面筐体の外周部に沿って延びる突出部を有しており、前記前面筐体は、さらに、前記ボスと前記周面部の前記内面との間に設けられ、且つ、前記突出部が挿入されるスリットを有するように構成してもよい。
【００１６】
本態様によれば、背面筐体の突出部を前面筐体のスリットに挿入することにより、締結部材をボスに締結した際に、ボスに締結部材の回転方向の力が作用するのを抑制することができる。これにより、ボスと周面部の内面との接続強度を強固に保つことができる。
【発明の効果】
【００１７】
本発明の一態様に係る表示装置によれば、前面筐体の美観を高めることができる。
【図面の簡単な説明】
【００１８】
【図１】実施の形態１に係る表示装置の外観を示す斜視図である。
【図２】実施の形態１に係る表示装置を分解した状態を示す分解斜視図である。
【図３】フロントキャビネットの内面側を示す斜視図である。
【図４】図３中の破線で囲まれた部分を拡大して示す斜視図である。
【図５】図１中のＡ−Ａ線による表示装置の断面図である。
【図６】図１中のＡ−Ａ線による表示装置の分解断面斜視図である。
【図７】実施の形態２に係る表示装置のフロントキャビネット及びリアキャビネットの締結構造を示す斜視図である。
【図８】図７のフロントキャビネット及びリアキャビネットの締結構造を示す分解断面斜視図である。
【図９】変形例に係る表示装置の分解断面斜視図である。
【発明を実施するための形態】
【００１９】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２０】
（実施の形態１）
［表示装置の全体構造］
まず、図１及び図２を参照しながら、実施の形態１に係る表示装置２の全体構造について説明する。図１は、実施の形態１に係る表示装置の外観を示す斜視図である。図２は、実施の形態１に係る表示装置を分解した状態を示す分解斜視図である。
【００２１】
図１及び図２に示すように、本実施の形態の表示装置２は、例えば液晶テレビジョン受像機であり、筐体４を備えている。筐体４は、フロントキャビネット６（前面筐体を構成する）及びリアキャビネット８（背面筐体を構成する）が相互に締結されることにより構成されている。
【００２２】
フロントキャビネット６は、矩形状の枠状に構成されており、後述する液晶パネル１０（表示パネルを構成する）の外周部を覆うように配置されている。フロントキャビネット６は、例えば樹脂で形成されている。
【００２３】
リアキャビネット８は、箱形状に構成されており、液晶パネル１０の背面１０ａ（後述する図５参照）全体を覆うように配置されている。リアキャビネット８は、例えば樹脂で形成されている。リアキャビネット８の下端部には、筐体４を下方より支持するためのスタンド１２が取り付けられている。
【００２４】
なお、本実施の形態の表示装置２では、フロントキャビネット６及びリアキャビネット８の締結構造に特徴がある。フロントキャビネット６及びリアキャビネット８の締結構造については後で詳述する。
【００２５】
図２に示すように、筐体４の内部には、上述した液晶パネル１０の他に、リアフレーム１３、バックライトユニット１４、拡散板１６、一対の光学シート１８，２０、４個のセルガイド２２ａ〜２２ｄ及び４個のベゼル２４ａ〜２４ｄが配置されている。
【００２６】
リアフレーム１３は、リアキャビネット８の内面８ａを覆うように配置されている。
【００２７】
バックライトユニット１４は、直下型のバックライトユニットであり、液晶パネル１０の背面１０ａに向けて光を照射するためのものである。バックライトユニット１４は、反射シート２６及びＬＥＤバー２８を有している。
【００２８】
反射シート２６は、リアフレーム１３の内面を覆うように配置されている。反射シート２６は、ＬＥＤバー２８からの光を液晶パネル１０の背面１０ａに向けて反射するためのものである。反射シート２６は、例えばアクリル樹脂で形成されている。
【００２９】
ＬＥＤバー２８は、配線基板３０と、配線基板３０に実装された複数のＬＥＤ３２と、を有している。配線基板３０は、長尺状の板状に構成されている。配線基板３０は、熱伝導性の高い金属、例えばアルミニウムで形成されている。配線基板３０は、リアフレーム１３上に配置されている。複数のＬＥＤ３２は、配線基板３０の長手方向に沿って一列に且つ間隔を置いて配置されている。複数のＬＥＤ３２の各々は、反射シート２６に設けられた孔２６ａに挿入されている。
【００３０】
拡散板１６は、略矩形状の薄い板状に構成されており、バックライトユニット１４と液晶パネル１０との間に配置されている。拡散板１６は、バックライトユニット１４からの光を液晶パネル１０の背面１０ａに向けて拡散するためのものである。なお、リアフレーム１３上には、拡散板１６を支持するための支持部材３４が配置されている。支持部材３４は、反射シート２６を貫通して拡散板１６に向けて延びている。
【００３１】
一対の光学シート１８，２０はそれぞれ、相互に重ね合わされた状態で、拡散板１６を覆うようにして配置されている。一対の光学シート１８，２０の各々は、例えば、拡散板１６により拡散された光を液晶パネル１０の背面１０ａに導くためのものである。
【００３２】
４個のセルガイド２２ａ〜２２ｄの各々は、長尺状に構成されている。４個のセルガイド２２ａ〜２２ｄは、相互に組み合わされることにより、全体として矩形状の枠状に構成されている。枠状に組み合わされた４個のセルガイド２２ａ〜２２ｄは、リアフレーム１３の外周部に取り付けられている。
【００３３】
液晶パネル１０は、矩形状のパネル状に構成されている。液晶パネル１０の前面１０ｂには、画像が表示される表示面３６が形成されている。液晶パネル１０の背面１０ａ側における外周部は、枠状に組み合わされた４個のセルガイド２２ａ〜２２ｄに支持されている。バックライトユニット１４からの光が液晶パネル１０の背面１０ａを照射することにより、液晶パネル１０の表示面３６に画像が表示される。
【００３４】
４個のベゼル２４ａ〜２４ｄの各々は、長尺状に構成されている。４個のベゼル２４ａ〜２４ｄは、相互に組み合わされることにより、全体として矩形状の枠状に構成されている。枠状に組み合わされた４個のベゼル２４ａ〜２４ｄは、液晶パネル１０の前面１０ｂ側における外周部を支持している。
【００３５】
［フロントキャビネット及びリアキャビネットの締結構造］
次に、図３〜図６を参照しながら、フロントキャビネット６及びリアキャビネット８の締結構造について説明する。図３は、フロントキャビネットの内面側を示す斜視図である。図４は、図３中の破線で囲まれた部分を拡大して示す斜視図である。図５は、図１中のＡ−Ａ線による表示装置の断面図である。図６は、図１中のＡ−Ａ線による表示装置の分解断面斜視図である。なお、図５及び図６では、説明の都合上、フロントキャビネット６、リアキャビネット８、液晶パネル１０及びネジ３８（締結部材を構成する）以外の構成の図示を省略している。
【００３６】
図３〜図６に示すように、フロントキャビネット６は、前面部４０及び周面部４２を有している。前面部４０は、液晶パネル１０の表示面３６の外周部を覆うように配置されている。周面部４２は、前面部４０の外周部からリアキャビネット８側に延びており、液晶パネル１０の外周面１０ｃを覆うように配置されている。図４〜図６に示すように、前面部４０の内面４０ａと周面部４２の内面４２ａとの間には、面取り面４４が形成されている。本実施の形態では、面取り面４４はＣ面で構成されている。
【００３７】
なお、フロントキャビネット６の外面（すなわち、表示装置２の外部に露出される面）、具体的には、前面部４０の外面４０ｂ及び周面部４２の外面４２ｂにはそれぞれ光沢塗装が施されている。
【００３８】
図３に示すように、周面部４２の内面４２ａには、複数のボス４６が設けられている。複数のボス４６は、フロントキャビネット６の周方向に沿って間隔を置いて配置されている。なお、複数のボス４６の各々は、フロントキャビネット６と一体に成形されている。
【００３９】
図４〜図６に示すように、ボス４６は、台座部４６ａ、ネジ受け部４６ｂ及び接続部４６ｃを有している。台座部４６ａは、プレート状に構成されており、周面部４２の内面４２ａから周面部４２に対して略垂直に延びている。ネジ受け部４６ｂは、略円柱状に構成されており、台座部４６ａからリアキャビネット８側に延びるとともに周面部４２の内面４２ａに接続されている。ネジ受け部４６ｂには、ネジ３８をネジ止めするためのネジ孔４８が設けられている。ネジ孔４８は、リアキャビネット８側からフロントキャビネット６側に向かう方向（Ｚ軸方向）に延びている。接続部４６ｃは、台座部４６ａ及びネジ受け部４６ｂと周面部４２の内面４２ａとの接続を補強するためのものである。
【００４０】
図４及び図６に示すように、周面部４２の内面４２ａには、さらに、リブ５０が設けられている。リブ５０は、台座部４６ａから周面部４２の内面４２ａに沿って前面部４０の内面４０ａに向けて延びている。より具体的には、リブ５０は、ネジ３８が締結される方向（Ｚ軸方向）に延びるとともに、台座部４６ａから面取り面４４を経由して前面部４０の内面４０ａまで延びている。このリブ５０は、ネジ３８が締結される方向におけるボス４６の強度を高めるための補強用のリブである。なお、例えば、フロントキャビネット６の肉厚ｔ１が約２．３ｍｍである場合、リブ５０の肉厚ｔ２は約０．９ｍｍである。
【００４１】
図５及び図６に示すように、リアキャビネット８の外周部のボス４６に対応する部位には、ネジ３８の頭部３８ａを収容するための凹部５２が設けられている。リアキャビネット８の凹部５２に対応する部位には、リアキャビネット８側からフロントキャビネット６側に向かう方向（Ｚ軸方向）にリアキャビネット８を貫通する貫通孔５４が設けられている。
【００４２】
ネジ３８をリアキャビネット８側からフロントキャビネット６側に向かう方向に貫通孔５４に挿入した後に、ボス４６のネジ孔４８にネジ止めすることによって、フロントキャビネット６とリアキャビネット８とが相互に締結される。
【００４３】
なお、ネジ３８がタッピンネジである場合には、ネジ３８をネジ止めする前のネジ孔４８には雌ネジ部は形成されていない。一方、ネジ３８がタッピンネジでない場合には、ネジ孔４８に予め雌ネジ部を形成しておいてもよい。
【００４４】
［効果］
次に、本実施の形態の表示装置２により得られる効果について説明する。ネジ３８をボス４６のネジ孔４８にネジ止めした際に、図５中の矢印で示すように、ボス４６がリアキャビネット８側に引き込まれる。上述したように、ボス４６が周面部４２の内面４２ａに設けられているので、ボス４６をリアキャビネット８側に引き込む力が前面部４０に作用することがない。その結果、前面部４０の外面４０ｂのうちボス４６に対応する部分に僅かな窪みが生じるのを抑制することができ、フロントキャビネット６の美観を高めることができる。
【００４５】
さらに、上述したように、周面部４２の内面４２ａにはリブ５０が設けられているので、ネジ３８が締結される方向におけるボス４６の強度を高めることができる。これにより、ネジ３８をボス４６のネジ孔４８にネジ止めした際に、ボス４６がリアキャビネット８側に引き込まれた場合であっても、ボス４６と周面部４２の内面４２ａとの接続強度を強固に保つことができる。特に、リブ５０は、台座部４６ａから面取り面４４を経由して前面部４０の内面４０ａまで延びているので、ネジ３８が締結される方向におけるボス４６の強度をより一層効果的に高めることができる。
【００４６】
（実施の形態２）
次に、図７及び図８を参照しながら、実施の形態２に係る表示装置２Ａの構成について説明する。図７は、実施の形態２に係る表示装置のフロントキャビネット及びリアキャビネットの締結構造を示す斜視図である。図８は、図７のフロントキャビネット及びリアキャビネットの締結構造を示す分解断面斜視図である。なお、本実施の形態において、上記実施の形態１と同一の構成要素には同一の符号を付して、その説明を省略する。
【００４７】
図７及び図８に示すように、本実施の形態の表示装置２Ａのフロントキャビネット６Ａでは、ボス４６Ａ（接続部４６Ａｃ）と周面部４２の内面４２ａとの間にスリット５６が設けられている。このスリット５６は、フロントキャビネット６Ａの外周部に沿って延びている。
【００４８】
さらに、リアキャビネット８Ａの内面８Ａａのボス４６Ａに対応する部位には、突出部５８が設けられている。突出部５８は、リアキャビネット８Ａの内面８Ａａからフロントキャビネット６Ａに向けて突出し、且つ、リアキャビネット８Ａの外周部に沿って延びている。フロントキャビネット６Ａとリアキャビネット８Ａとを相互に締結する際には、突出部５８がスリット５６に挿入される。
【００４９】
これにより、ネジ３８をボス４６Ａのネジ孔４８にネジ止めした際に、ボス４６Ａにネジ３８の回転方向（図７中の矢印で示す方向）の力が作用するのを抑制することができる。その結果、ボス４６Ａと周面部４２の内面４２ａとの接続強度を強固に保つことができる。
【００５０】
（変形例）
以上、本発明の実施の形態１及び２に係る表示装置について説明したが、本発明は、これらの実施の形態に限定されるものではない。例えば、上記実施の形態１及び２を組み合わせてもよい。
【００５１】
上記各実施の形態では、前面部４０の内面４０ａと周面部４２の内面４２ａとの間に面取り面４４を形成したが、図９に示す表示装置２Ｂのように、筐体６Ｂから面取り面４４を省略してもよい。この場合、リブ５０Ｂは、台座部４６ａから前面部４０の内面４０ａまで延びている。図９のような構成であっても、ネジ３８が締結される方向におけるボス４６の強度を高めることができる。なお、リブ５０Ｂは、周面部４２の内面４２ａのみに設けられていてもよい。
【００５２】
さらに、図９のような構成に代えて、上述した図６に示すように面取り面４４を追加し、且つ、リブ５０を台座部４６ａから面取り面４４を経由して前面部４０の内面４０ａまで延ばすことにより、ネジ３８が締結される方向におけるボス４６の強度をより一層高めることができる。
【００５３】
上記各実施の形態では、表示装置２（２Ａ）が液晶テレビジョン受像機である場合について説明したが、これに限定されない。表示装置２（２Ａ）は、例えばパーソナルコンピュータ用の液晶モニタ等でもよい。
【００５４】
上記各実施の形態では、面取り面４４をＣ面で構成したが、これに限定されず、例えば面取り面４４をＲ面で構成してもよい。
【００５５】
上記各実施の形態では、１個のボス４６（４６Ａ）に対してリブ５０を１個のみ設けたが、これに限定されず、１個のボス４６（４６Ａ）に対してリブ５０を複数個設けてもよい。これにより、ネジ３８が締結される方向におけるボス４６（４６Ａ）の強度をより一層効果的に高めることができる。
【産業上の利用可能性】
【００５６】
本発明の表示装置は、例えば、液晶テレビジョン受像機等として適用することができる。
【符号の説明】
【００５７】
２，２Ａ，２Ｂ  表示装置
４  筐体
６，６Ａ，６Ｂ  フロントキャビネット
８，８Ａ  リアキャビネット
８ａ，８Ａａ  内面
１０  液晶パネル
１０ａ  背面
１０ｂ  前面
１０ｃ  外周面
１２  スタンド
１３  リアフレーム
１４  バックライトユニット
１６  拡散板
１８，２０  光学シート
２２ａ，２２ｂ，２２ｃ，２２ｄ  セルガイド
２４ａ，２４ｂ，２４ｃ，２４ｄ  ベゼル
２６  反射シート
２６ａ  孔
２８  ＬＥＤバー
３０  配線基板
３２  ＬＥＤ
３４  支持部材
３６  表示面
３８  ネジ
３８ａ  頭部
４０  前面部
４０ａ，４２ａ  内面
４０ｂ，４２ｂ  外面
４２  周面部
４４  面取り面
４６，４６Ａ  ボス
４６ａ  台座部
４６ｂ  ネジ受け部
４６ｃ，４６Ａｃ  接続部
４８  ネジ孔
５０，５０Ｂ  リブ
５２  凹部
５４  貫通孔
５６  スリット
５８  突出部
【図１】
2015203707.tif 000003
【図２】
2015203707.tif 000004
【図３】
2015203707.tif 000005
【図４】
2015203707.tif 000006
【図５】
2015203707.tif 000007
【図６】
2015203707.tif 000008
【図７】
2015203707.tif 000009
【図８】
2015203707.tif 000010
【図９】
2015203707.tif 000011